(57)【要約】【課題】筒形ヒューズの組立工程でヒューズ筒内に収容したヒューズエレメントの内管が消弧砂の片寄りに押されて傾くのを抑止して製品の信頼性を高めた組立構造を提供する。【解決手段】両端に端子キャップ２，３を被着したヒューズ筒１、外周に可溶体５を巻装して前記ヒューズ筒１の中央位置に収容保持した内管４、該内管４の一端側に嵌着して前記可溶体５を端子キャップ２に接続するリング形状になる接続金具６、およびヒューズ筒内に充填した消弧砂９からなる筒形ヒューズにおいて、前記接続金具６には、その周縁から端子キャップ２の端面に向けて起立延在する接続脚片６ａのほか、ヒューズ筒１の内周面に向け側方に迫り出して内管４を所定の収容位置に位置決め保持するアーム状の押さえ片６ｂを切り起こし成形しておき、ヒューズ筒１に消弧砂９を充填する工程の途上で内管２の姿勢が傾いて可溶体５がヒューズ筒１の内周面に異常接近するのを防止する。【選択図】図１
2014239007.tif 000002
【特許請求の範囲】
【請求項１】
両端に端子キャップを被着したヒューズ筒、外周に可溶体を巻装して前記ヒューズ筒の中央位置に収容保持した内管、該内管の一端側に嵌着して前記可溶体を端子キャップに接続するリング形状になる接続金具、およびヒューズ筒内に充填した消弧砂からなる筒形ヒューズにおいて、
前記接続金具の周縁に、端子キャップの端面に向けて起立延在する接続脚片、およびヒューズ筒の内周面に向け側方に迫り出して前記内管を所定の収容位置に位置決め保持するアーム状の押さえ片を切り起こし成形したことを特徴とする筒形ヒューズ。
【請求項２】
請求項１に記載の筒形ヒューズにおいて、アーム状の押さえ片が、接続金具の周縁から直径方向に迫り出した一対の凸状舌片からなることを特徴とする筒形ヒューズ。
【発明の詳細な説明】
【技術分野】
【０００１】
本発明は、電力用の高圧限流ヒューズなどに適用される筒形ヒューズの組立構造に関する。
【背景技術】
【０００２】
頭記の筒形ヒューズとして、両端に端子キャップを被着した磁器製ヒューズ筒の筒内に、可溶体を内管に巻装したヒューズエレメントの組立体を収容した上で、ヒューズ筒内に消弧砂を充填した構造になる限流形の筒形ヒューズが公知であり（例えば、特許文献１参照）、次に従来における筒形ヒューズの組立構造を図２に示す。
【０００３】
図２（ａ）〜（c）おいて、１は磁器製になる円筒形のヒューズ筒、２、３はヒューズ筒１の上下両端に被着した端子キャップ、４は碍管などで作られた断面多角形の内管、５は内管４の外周に螺旋状に巻装したテープ状の可溶体、６は可溶体５を端子キャップ２に接続する接続金具、７は溶断表示装置、８は溶断表示線、９はヒューズ筒１の内部に充填した消弧砂である。
【０００４】
ここで、前記接続金具６は、図２（ｃ）に示すように前記した多角形状の内管４の端面に合わせて導体板を曲げ加工した多角形のリング形状になり、その周縁には端子キャップ２の端面に向けて延在する接続脚片６ａが上方に切り起こし形成されている。
【０００５】
そして、ヒューズの組立時には、先ず内管４の一端（図示の上端側）に前記接続金具６を嵌着し、この状態で可溶体５の一端を接続金具６にろう付けした上で、張力を加えながら内管４の外周に螺旋状に巻き付けて巻装してューズエレメントを組立てる。なお、可溶体５はヒューズの定格電流に合わせて複数本の素線を内管４の周上に並列に巻装するようにしている。
【０００６】
一方、ヒューズ筒１の下部側には端子キャップ３を嵌着した上で、該端子キャップ３の中央内側に溶断表示装置７を組み付けておく。この状態で、次に前記したヒューズエレメントの組立体をヒューズ筒１に上方から挿入し、内管４の下端を溶断表示装置７の外周側に差し込んで起立状態に保持する。なお、溶断表示装置７に一端を接続した溶断表示線８は内管４の内側を通してその上端を接続金具の脚片６ａに絡げて接続しておく。
【０００７】
次に、ヒューズ筒１の上端側に端子キャップ２を被着した上で、前記接続金具６から上方に引き出した接続脚片６ａの先端を端子キャップ２の上面にスポット溶接する。なお、端子キャップ２には、その板面中央に消弧砂９を注入する穴が開口し、さらにその外側には前記接続金具６の接続脚片６ａを挿入するスリット穴が穿設されている。
【０００８】
この組立状態で、直立姿勢に保持したヒューズ筒１に対し、端子キャップ２の端面中央に開口した穴を通じてヒューズ筒内に消弧砂９を充填し、管内が消弧砂９で満杯になったところで端子キャップ２の端面にカバー１０を被せてスポット溶接し、さらにカバー１０の周縁にはんだ付けを施してヒューズ筒１を封止して組立が完了する。
【先行技術文献】
【特許文献】
【０００９】
【特許文献１】特開２００８−１０３０８４号公報（図５）
【発明の概要】
【発明が解決しようとする課題】
【００１０】
ところで、前記した筒形ヒューズの組立構造では、ヒューズの組立工程で次記のような課題がある。
すなわち、筒形ヒューズの組立工程で、前記のようにヒューズ筒１に消弧砂９を充填する工程でヒューズ筒内に堆積した消弧砂９が片寄りすると、内管４が消弧砂９に押されてその起立姿勢が傾くことがある。なお、内管４はその下端側が溶断表示装置７の外側に嵌まっているが、両者の間には多少のガタがあって内管４の起立姿勢が傾き易く、また接続金具６と端子キャップ２との間を接続している接続脚片６ａは強度（剛性）も小さくて、外力を受けると容易に変形する。
【００１１】
上記のように筒形ヒューズの製造工程でヒューズ筒１に収容した内管４の姿勢が消弧砂９に押されて中心位置から傾くと、その傾いた方向では内管４の周面に巻装した可溶体５の上端側部分（接続金具側）がヒューズ筒１の内周面に近づいて両者間の距離が異常に接近する。
【００１２】
このために、筒形ヒューズの実使用状態で短絡電流遮断時に可溶体５が溶断した際に、この可溶体５の溶断部に生じた高温の溶融生成物がヒューズ筒１の内周面に触れると、磁器製のヒューズ筒に大きな熱応力が加わって破損することが知見されている。
【００１３】
本発明は上記の点に鑑みなされたものであり、その目的は前記した組立工程での課題を簡易な手段により解消して製品の信頼性向上が図れるように改良した筒形ヒューズの組立構造を提供することにある。
【課題を解決するための手段】
【００１４】
上記目的を達成するために、本発明によれば、両端に端子キャップを被着したヒューズ筒、外周に可溶体を巻装して前記ヒューズ筒の中央位置に収容保持した内管、該内管の一端側に嵌着して前記可溶体を端子キャップに接続するリング形状になる接続金具、およびヒューズ筒内に充填した消弧砂からなる筒形ヒューズにおいて、
前記接続金具には、その周縁から端子キャップの端面に向けて起立延在する接続脚片、およびヒューズ筒の内周面に向け側方に迫り出して前記内管を所定の収容位置に位置決め保持するアーム状の押さえ片を切り起こし成形する（請求項１）。
【００１５】
ここで、前記のアーム状押さえ片を、接続金具の周縁から直径方向に迫り出した一対の凸状舌片で形成する（請求項２）。
【発明の効果】
【００１６】
上記構成の筒形ヒューズによれば、その組立工程でヒューズ筒内に内管，接続金具，可溶体からなるヒューズエレメント組立体を収容した状態では、ヒューズ筒の内周面に対峙して接続金具の周縁から側方に迫り出したアーム状の押さえ片が内管を所定位置に位置決め保持することになる。
【００１７】
これにより、続く組立工程でヒューズ筒内に消弧砂を充填する際に、その注入途上で消弧砂の片寄りが生じても内管の姿勢が消弧砂に押されて傾くことがなく、内管をヒューズ筒の中央位置に保持できる。
【００１８】
したがって、ヒューズ筒内に収容した可溶体がヒューズ筒の内周面に極端に近づくことがなくなり、その結果として短絡電流遮断に伴って生じた可溶体の溶融生成物がヒューズ筒（磁器製）の内周面に直接触れてヒューズ筒が破損するのを防止して製品の信頼性を高めることができる。
【図面の簡単な説明】
【００１９】
【図１】本発明の実施例による筒形ヒューズの組立構造図であって、（ａ）はヒューズ全体の縦断面図（ｂ）は（ａ）の矢視Ｘ−Ｘ断面図、（ｃ）は接続金具の外形斜視図である。
【図２】従来の筒形ヒューズの組立構造図であって、（ａ）はヒューズ全体の縦断面図（ｂ）は（ａ）の矢視Ｘ−Ｘ断面図、（ｃ）は接続金具の外形斜視図である。
【発明を実施するための形態】
【００２０】
以下、本発明の実施の形態を図１（ａ）〜（ｃ）に示す実施例に基づいて説明する。なお、実施例の図中で図２に対応する部材には同じ符号を付してその説明は省略する。
図示実施例における筒形ヒューズの組立構造は基本的に図２示した従来構造と同じであるが、内管４の上端側に嵌着した接続金具６について、その周縁には図２の従来構造で述べた接続脚片６ａのほかに、ヒューズ筒１の内周面に向け接続金具２の周縁から側方に迫り出して内管を２所定の収容位置に位置決め保持するアーム状の押さえ片６ｂが所定の２箇所に切り起こし成形されており、図示実施例ではこのアーム状押さえ片６ｂを、接続金具６の周縁から直径方向に迫り出した一対の凸状舌片で形成している。
【００２１】
上記構成になる筒形ヒューズによれば、その組立工程でヒューズ筒１に内管４，接続金具６，可溶体５からなるヒューズエレメント組立体を収容した状態では、接続金具６の周縁から側方に迫り出してヒューズ筒１の内周面に対峙するアーム状の押さえ片６ｂが内管４をヒューズ筒１の中心位置に位置決め保持する。
【００２２】
これにより、続く組立工程でヒューズ筒１に消弧砂９を充填する際に、その注入途上で消弧砂９の堆積状態に片寄りが生じても、消弧砂９に押されて内管４の姿勢が傾くことなしに、内管４をヒューズ筒の中央位置に直立保持できる。
【００２３】
したがって、ヒューズ筒１に収容した可溶体２がヒューズ筒１の内周面に極端に近づくことがなく、その結果として短絡電流遮断に伴って可溶体５の溶断箇所に生じた高温の溶融生成物がヒューズ筒（磁器製）１の内周面に直接触れてヒューズ筒が熱応力破損するのを防止して製品の信頼性を高めることができる。
【符号の説明】
【００２４】
１    ヒューズ筒
２，３  端子キャップ
４    内管
５    可溶体
６    接続金具
６ａ  接続脚片
６ｂ  アーム状押さえ片
７    溶断表示装置
９    消弧砂
【図１】
2014239007.tif 000003
【図２】
2014239007.tif 000004